(57)【要約】【目的】この発明は、接着剤による美観のダメージと、接着剥がれなどの原因でウォッチスタンドが壊れる可能性を無くし、かつコストアップを防いで、美観が良いウォッチスタンドを安価に提供することを目的とする。【構成】台座部と、この台座部の左右何れかに片寄せて立設した支持部と、上端側が後に倒れた形状に支持部の前端上側から台座部の上空へ延設した掛け部とを支持部に対して台座部および掛け部がアンダーカットを生じない垂直乃至開き気味の角度で延設した形状にプラスチックで一体に形成し、掛け部と台座部との間隙をベルト通し部に成したことで上述の目的を達成した。【選択図】        図１
2005006740.tif 000002
【特許請求の範囲】
【請求項１】
台座部と、この台座部の左右何れかに片寄せて立設した支持部と、上端側が後に倒れた形状に支持部の前端上側から台座部の上空へ延設した掛け部とを支持部に対して台座部および掛け部がアンダーカットを生じない垂直乃至開き気味の角度で延設した形状にプラスチックで一体に形成し、掛け部と台座部との間隙をベルト通し部に成したことを特徴とするウォッチスタンド。
【発明の詳細な説明】
【０００１】
【産業上の利用分野】
この発明は、腕時計の収集家や時計販売業者等が腕時計等を掛けて展示・保管するウォッチスタンドに関するものである。
【０００２】
【従来の技術】
腕時計の収集家や時計販売業者などは、腕時計等を第３図に示すようにウォッチスタンドに掛けて保管・展示することがある。
【０００３】
ところが、例えば第５図に例を示す従来のウォッチスタンドは、台座部１ａと支持部２ａと掛け部３ａとが別体に形成されて、支持部２ａに一体に形成された貼着部材１０に掛け部３ａが接着で固定されており、透明なプラスチックで部品を形成しても接着部が汚く見え美観を損なう欠点があった。
【０００４】
しかも、複数の部品を成形して組立てる従来のウォッチスタンドでは、支持部が細い部材でできていて折れる危険があり、部品間の接合部分の接着が剥がれるなどの壊れ易い欠点があり、かつ、部品点数が多く組立工程も必要になるため製品価格が高くなる欠点があった。
【０００５】
なお、第５図に示す従来例において、後述の実施例と同等の機能の部分には後述の実施例に付した記号にａを付加した記号をつけ、詳細な説明を省略してある。
【０００６】
【発明が解決しようとする課題】
この発明は、接着剤による美観のダメージと、使用中に支持部が折れたり接着剥がれなどの原因でウォッチスタンドが壊れる可能性を無くし、かつ、部品点数の増加や組立手間によるコストアップを防いで、美観が良いウォッチスタンドを安価に提供することを目的とする。
【０００７】
【課題を解決するための手段】
この発明のウォッチスタンドは、台座部と、この台座部の左右何れかに片寄せて立設した支持部と、上端側が後に倒れた形状に支持部の前端上側から台座部の上空へ延設した掛け部とを支持部に対して台座部および掛け部がアンダーカットを生じない垂直乃至開き気味の角度で延設した形状にプラスチックで一体に形成し、掛け部と台座部との間隙をベルト通し部に成したことで上述の課題を解決した。
【０００８】
【実施例】
以下、図面に基づいて、この発明のウォッチスタンドの実施例を説明する。なお、以下の説明で、左右はウォッチスタンドに向っての左右をいう。
【０００９】
この実施例のウォッチスタンドは射出成形によってスチロール樹脂で透明に成形してあり、ウォッチスタンドの台座部１は幅３５ミリメートル、奥行４３ミリメートル、厚さ３ミリメートル程度の前後に長い矩形板状である。
【００１０】
この台座部１の右辺に沿って台座部１からほぼ垂直乃至外側に開き気味の角度に立設した形状に板状の支持部２が台座部１と一体に形成してあって、支持部２の下端は台座部１の奥行と同程度であり、支持部２の高さは７０ミリメートル程度で、支持部２の前辺は上端側が後に倒れた傾斜状になっている。
【００１１】
掛け部３は上端側が後に倒れた上下に長い矩形板状であって、支持部２の前端上側から台座部の上空へ支持部２に対して直交ないし前側へ開き気味の角度に延設した形状に支持部２と一体に形成してあり、掛け部と台座部との間隙がベルト通し部４になっていて、この実施例では掛け部３は幅３５ミリメートル、上下５０ミリメートル、厚さ３ミリメートル程度の大きさである。
【００１２】
なお、台座部、支持部および掛け部の大きさ・形状はこの実施例に限定するものではなく、支持部に対して台座部および掛け部がアンダーカットを生じない垂直乃至開き気味の角度で延設した形状であれば三角形など任意の形状で良く、湾曲していても良い。
【００１３】
ウオッチスタンドの材質もスチロール樹脂に限定するものではなく、アクリルやポリカーボネートなど射出成形可能であれば任意のプラスチックで良い。
【００１４】
このウオッチスタンドを射出成形で成形する金型について説明する。
【００１５】
第４図に示すように、ウォッチスタンドの支持部２を固定型８の奥、即ち、成形機の射出ノズル側において可動型７の開き方向と直交する向きに配置すると、台座部１と掛け部３とは支持部に対して直交ないし開き気味に角度になっているので、台座部１と掛け部３とは可動型７の開き方向とほぼ平行ないし開き気味になってアンダーカットを生じない。
【００１６】
さらに、当業者において周知ないし公知の技術であるサイドゲートを用いて、複数個取りの金型にすると、ゲート部を支持部２の後側に配置でき、製品においてゲート跡を目立たなくすることができる。
【００１７】
したがって、上述のウォッチスタンドはスライドコアー等の複雑高価な構造を必要とせず、簡単で安価な構造の金型で生産することができる。
【００１８】
この実施例のウォッチスタンドに腕時計を掛けて展示するときは、腕時計をウォッチスタンドの左側から運んで腕時計の下側のベルトがベルト通し部を通り、腕時計本体が掛け部３のほぼ正面に位置するように腕時計の上側のベルトを掛け部３の上側に掛けて用いる。
【００１９】
【発明の効果】
以上で説明したとおり、この発明のウォッチスタンドでは、支持部に対して台座部および掛け部がアンダーカットを生じない垂直乃至開き気味の角度で延設した形状にプラスチックで一体に形成してあるので、接着などで美観を損ねたり、接着剥がれによる破損の心配もなく、美観の良い丈夫なものを提供できる特長がある。
【００２０】
しかも、支持部に対して台座部および掛け部がアンダーカットを生じない垂直乃至開き気味の角度で延設した形状にプラスチックで一体に形成してあるので、生産に用いる金型もアンダーカット対策のスライドなど複雑な機構が不用で、故障しにくい丈夫な金型を安価に作成でき、成形品のこの発明のウォッチスタンドを安価に提供することができる優れた特長を併せ持つ。
【００２１】
【図面の簡単な説明】
【図１】この発明の実施例のウォッチスタンドを正面側から見た斜視図である。
【図２】同じく実施例のウォッチスタンドを斜め後方から見た斜視図である。
【図３】実施例の使用状態を示す正面側から見た斜視図である。
【図４】実施例のものを射出成形で成形する金型の構造を示す断面図である。
【図５】従来例の斜視図である。
【符号の説明】
１    台座部
２    支持部
３    掛け部
４    ベルト通し部
５    腕時計
６    ベルト
７    可動型
８    固定型
９    スプル
１０    貼着部材
１ａ    台座部
２ａ    支持部
３ａ    掛け部
４ａ    ベルト通し部
【図１】
2005006740.tif 000003
【図２】
2005006740.tif 000004
【図３】
2005006740.tif 000005
【図４】
2005006740.tif 000006
【図５】
2005006740.tif 000007